(57)【要約】【課題】  ノートブック型パーソナルコンピュータなどの電子機器の筐体に、非接触ＩＣカードを正確に位置決めして保持しておくことのできるＩＣカード読み取り部を提供することを課題とする。【解決手段】  電子機器の本体１０は、操作者が操作を行なう操作部１２を備える。非接触ＩＣカード３０を筐体１４の上面に対して平行な状態で収容するＩＣカード収容部１６が本体１０の筐体１４に設けられる。非接触ＩＣカード３０とデータ通信を行なうリーダ／ライタ１８が、筐体１４内でＩＣカード収容部に対応した位置に設けられる。【選択図】  図１
2011022664.tif 000002
【特許請求の範囲】
【請求項１】
操作者が操作を行なう操作部を備えた本体と、
該本体の筐体に設けられ、非接触ＩＣカードを該筐体の上面に対して平行な状態で収容するＩＣカード収容部と、
前記筐体内で該ＩＣカード収容部に対応した位置に設けられ、前記非接触ＩＣカードとデータ通信を行なうリーダ／ライタと
を有する電子機器。
【請求項２】
請求項１記載の電子機器であって、
前記ＩＣカード収容部は前記操作部の近傍において前記筐体の上面に形成された凹部であり、該凹部の外形は前記非接触ＩＣカードの外形に等しい電子機器。
【請求項３】
請求項２記載の電子機器であって、
前記凹部を覆うカバーをさらに有する電子機器。
【請求項４】
請求項３記載の電子機器であって、
前記カバーは前記凹部以外の前記筐体の上面も覆う形状であり、前記カバーが前記凹部を覆っている状態で、前記カバーと前記筐体の上面との間に空隙が形成される電子機器。
【請求項５】
請求項１記載の電子機器であって、
前記ＩＣカード収容部は前記筐体に形成されたスリットであり、該スリットの外形は前記非接触ＩＣカードの外形に等しい電子機器。
【発明の詳細な説明】
【技術分野】
【０００１】
本発明は非接触ＩＣカードと通信可能な電子機器に関する。
【背景技術】
【０００２】
カードの内部にＩＣが組み込まれた接触ＩＣカードが普及しつつある。接触ＩＣは、内部のＩＣの入出力端子に接続された端子を有し、当該端子はカードの表面に露出している。接触ＩＣカードを使用する際には、ＩＣに記録されたデータを接触式のリーダ／ライタで読み取る必要がある。このため、接触ＩＣカードをリーダ／ライタに装着して電気的接続を行なう必要があり、ＩＣカードの装着機構が必要となり且つ装着作業が必要となる。
【０００３】
そこで、接触ＩＣカードに代わり、リーダ／ライタ機器との接触（電気的接続接）を必要としない非接触ＩＣカードの需要が増大している。一般的に、非接触ＩＣカードには、ＩＣチップと周辺回路、及びループアンテナが組み込まれている。非接触ＩＣカードは、リーダ／ライタからの微弱な電磁波をループアンテナで電力に変換して動作することができる。そして、非接触ＩＣカードは、ＩＣチップに記録されたデータをループアンテナを介してリーダ／ライタに送り返す。
【０００４】
このような非接触ＩＣカードを、各種電子機器で用いる記録媒体として使用することが提案されている。すなわち、非接触ＩＣカードのリーダ／ライタを様々な電子機器、例えば、パーソナルコンピュータに組み込んで、非接触ＩＣカードから情報やデータを得ることが提案されている。
【０００５】
非接触ＩＣカードは接続端子による電気的接続を必要としないため、非接触ＩＣカード（のループアンテナ）をＩＣカード読み取り部に近接させるか載置しておくだけで、非接触ＩＣカードとの通信（情報、データの送受信）を行なうことができる。反面、非接触ＩＣカードが正しくＩＣカード読み取り部に装着されていないと、良好に通信できなくなるおそれがある。
【０００６】
そこで、ノートブック型パーソナルコンピュータのＩＣカード読み取り部を膨出部として、非接触ＩＣカードを膨出部に置くことで非接触ＩＣカードを正確にＩＣカード読み取り部に位置決めすることを促すことが提案されている（例えば、特許文献１参照。）。
【０００７】
また、無線式携帯端末装置の本体に底面が傾斜した凹部を設け、この凹部をＩＣカード読み取り部として非接触ＩＣカードを収容することが提案されている（例えば、特許文献２、３参照。）。
【０００８】
さらに、携帯端末の筐体に小型の非接触ＩＣカードを装着する部分に窓空き部を設けて小型の非接触ＩＣカードの一部が露出するようにし、小型の非接触ＩＣカードの着脱を容易にすることが提案されている（例えば、特許文献４参照。）。
【先行技術文献】
【特許文献】
【０００９】
【特許文献１】特開２００６−１０７３４１号公報
【特許文献２】特開平１０−２６１０５５号公報
【特許文献３】特開平１０−２６１０５４号公報
【特許文献４】特開２００２−３４２７２０号公報
【発明の概要】
【発明が解決しようとする課題】
【００１０】
例えば、非接触ＩＣカードをノートブック型パーソナルコンピュータで使用する場合、非接触ＩＣカードを載置する部分（すなわち、ＩＣカード読み取り部）は、キーパッド等の手で入力操作を行なう部分の近傍となる。この場合、コンピュータへの入力操作中に非接触ＩＣカードに操作者の手あるいは腕が接触して、非接触ＩＣカードがＩＣカード読み取り部から動いてしまい、非接触ＩＣカードとリーダ／ライタとの間の通信ができなくなるおそれがある。
【００１１】
ＩＣカード読み取り部を膨出部（凸部）とした場合、最初に非接触ＩＣカードをＩＣカード読み取り部に正しく載置しても、コンピュータの操作中に手が触れて非接触ＩＣカードが動いてしまうおそれがある。
【００１２】
ＩＣカード読み取り部を底面が傾斜した凹部とした場合、凹部を設ける部分の厚みが大きくなり、特に薄型が要求されるノートブック型パーソナルコンピュータの筐体などには採用できない。また、傾斜した底面を有する凹部を設ける理由は、凹部から非接触ＩＣカードの一部を突出させるためであるが、非接触ＩＣカードの一部が突出していると、操作中に手が触れて非接触ＩＣカードが凹部から外れてしまうおそれがある。
【００１３】
そこで、特に薄型が要求されるノートブック型パーソナルコンピュータなどの電子機器の筐体に、非接触ＩＣカードを正確に位置決めして保持しておくことのできるＩＣカード読み取り部の開発が望まれている。
【課題を解決するための手段】
【００１４】
一実施形態によれば、操作者が操作を行なう操作部を備えた本体と、該本体の筐体に設けられ、非接触ＩＣカードを該筐体の上面に対して平行な状態で収容するＩＣカード収容部と、前記筐体内で該ＩＣカード収容部に対応した位置に設けられ、前記非接触ＩＣカードとデータ通信を行なうリーダ／ライタとを有する電子機器が提供される。
【発明の効果】
【００１５】
非接触ＩＣカードがＩＣカード収容部に収容された状態で操作部を操作するため、操作者の手や腕が非接触ＩＣカードに触れても非接触ＩＣカードが動くことが無い。このため、電子機器の操作中に非接触ＩＣカードを常にＩＣカード読み取り位置に保持しておくことができ、確実に非接触ＩＣカードとの通信を行なうことができる。
【図面の簡単な説明】
【００１６】
【図１】第１の実施形態による電子機器の一例であるノートブック型パーソナルコンピュータの斜視図である。
【図２】図１に示す本体の平面図である。
【図３】図２のＩＩＩ−ＩＩＩ線に沿った断面図である。
【図４】第２の実施形態によるノートＰＣの本体の斜視図である。
【図５】第２の実施形態によるノートＰＣの本体の側面図である。
【図６】第３の実施形態によるノートＰＣの本体の斜視図である。
【図７】第３の実施形態によるノートＰＣの本体の側面図である。
【図８】第４の実施形態によるノートＰＣの本体の斜視図である。
【図９】第４の実施形態によるノートＰＣの本体の平面図である。
【図１０】図９のＸ−Ｘ線に沿った断面図である。
【発明を実施するための形態】
【００１７】
次に、実施形態について図面を参照しながら説明する。
【００１８】
図１は第１の実施形態による電子機器の一例であるノートブック型パーソナルコンピュータ（以下ノートＰＣと略称する）の斜視図である。
【００１９】
第１の実施形態によるノートＰＣは、本体１０と、本体１０の一辺側に回動可能に取り付けられた表示部２０とを有する。本体１０には、入力操作用のキーパッド等を含む操作部１２が設けられている。操作部１２と本体１０の前縁との間の部分は筐体１４の上面となっており、図１において点線で囲んだ部分は操作者の腕を置くことができるようにパームレストとして機能する部分である。
【００２０】
本実施形態では、操作部１２と本体１０の前縁との間の筐体１４の上面に、ＩＣカード収容部の一例として凹部１６が形成される。凹部１６の内側（筐体１４の内部）には、非接触ＩＣカード３０と通信を行なうリーダ／ライタ１８（図３参照）が組み込まれており、凹部１６はＩＣカード読み取り部に相当する。
【００２１】
図２は図１に示す本体１０の平面図である。図３は図２のＩＩＩ−ＩＩＩ線に沿った断面図である。凹部１６は、例えばＦｅｌｉＣａ（登録商標）等の非接触ＩＣカード３０を収容するためのＩＣカード収容部の一例であり、筐体１４の上面の凹部として形成される。凹部１６の外形形状は、収容する非接触ＩＣカード３０の外形形状に対応しており、その外形寸法は非接触ＩＣカード３０より僅かに大きい程度である。したがって、凹部１６は非接触ＩＣカード３０の位置決め及び保持機能も有する。凹部１６に収容された非接触式カード３０は凹部１６に嵌り込んだ状態となり、例えば操作者の腕が接触しても動くことは無い。
【００２２】
また、凹部１６の深さは、収容する非接触ＩＣカード３０の厚みと同じ程度かそれ以上であることが好ましい。すなわち、凹部１６の深さを非接触ＩＣカード３０の厚みと同じ程度とすることで、凹部１６に非接触ＩＣカード３０が収容された状態で、非接触ＩＣカード３０の上面が筐体１４の上面と同じ高さとなる。これにより、操作者が腕を置いても違和感が無く、通常通りに操作部１２の操作を行なうことができる。また、凹部１６に非接触ＩＣカード３０が収容されていない状態であっても、凹部１６の深さが非接触ＩＣカード３０の厚みと同じ程度の小さな寸法であれば、操作者が腕を置いても違和感が無く、通常通りに操作部１２の操作を行なうことができる。
【００２３】
また、凹部１６の深さを極力小さくすることで、凹部１６を形成することによる筐体１４の厚みの増大を抑制することができる。すなわち、ノートＰＣのように薄型が要求される電子機器にとって、厚みを増大させずにＩＣカード読み取り部を設けることができることは大きな利点となる。
【００２４】
以上のように、ＩＣカード収容部の一例である凹部１６は、非接触ＩＣカード３０を筐体１４の上面に平行な状態で収容する。このため、筐体１４の厚みを極力小さくしながら、筐体１４に凹部１６を形成することができる。
【００２５】
非接触ＩＣカード３０は、例えば、操作者の認証用のデータをノートＰＣに提供するために使用されることがある。例えば、操作者が実行しようとしているタスクの権限を当該操作者が有しているかの認証を行なう際に、ノートＰＣは非接触ＩＣカード３０から認証データを取得して操作者の認証を行なう。このような場合、ＩＣカード読み取り部である凹部１６に非接触ＩＣカード３０を収容してからノートＰＣを操作する。認証が必要なタスクを実行するときに、ノートＰＣは非接触ＩＣカード３０から自動的に認証データを取得する。
【００２６】
以上のように、非接触ＩＣカード３０を凹部１６に収容した状態で、操作者はノートＰＣの操作部１２を操作してタスク実行の指令を入力する。この際、操作者の手や腕が非接触ＩＣカード３０に触れたとしても、非接触ＩＣカード３０は凹部１６に嵌り込んで収容されているので、凹部１６から外れることなく保持される。したがって、操作者は、非接触ＩＣカード３０に接触することを気遣うことなくノートＰＣの操作部１２を操作することができ、操作性が損なわれることはない。
【００２７】
また、非接触ＩＣカード３０は凹部１６に嵌り込んで収容されているので、ノートＰＣを傾けて使用してもある程度の傾きであれば非接触ＩＣカード３０が滑り落ちることはなく、この点においても操作性が損なわれることはない。
【００２８】
ここで、凹部１６に嵌り込んで収容されている非接触ＩＣカード３０を凹部１６から取り上げる際には、取り出し部１６ａに指等を入れて非接触ＩＣカード３０の側面を持ち上げるようにすることで、容易に非接触ＩＣカード３０を凹部１６から取り外すことができる。取り出し部１６ａは凹部１６の外形の一部を外側に広げて形成された部分であり、指が入る程度の大きさであればよい。取り出し部１６ａの深さは凹部１６と同じ深さでよいが、凹部１６より深くすることで、指を非接触ＩＣカード３０の側面に引っ掛け易くすることができる。
【００２９】
次に、第２の実施形態について説明する。図４は第２の実施形態によるノートＰＣの本体の斜視図である。図５は第２の実施形態によるノートＰＣの本体の側面図である。
【００３０】
第２の実施形態では、第１の実施形態における凹部１６を覆うようにカバー４０が設けられる。カバー４０は凹部１６全体を覆う程度の大きさであり、一辺側が筐体１４に対して回動可能に支持されている。カバー４０は筐体１４と同様な樹脂とすることが好ましく、また、透明な樹脂とすることがより好ましい。
【００３１】
非接触ＩＣカード３０を凹部１６に収容するときには、カバー４０を引き起こして凹部１６内に非接触ＩＣカード３０を載置する。そして、カバー４０を倒すことで、非接触ＩＣカード３０は凹部１６に収容された状態で上からカバー４０により覆われた状態となる。これにより、操作者の手や腕はカバー４０に触れるだけで、非接触ＩＣカード３０には接触せず、非接触ＩＣカード３０を凹部１６内に確実に保持することができる。また、ノートＰＣを大きく傾けたとしても、非接触ＩＣカード３０が凹部１６から外れることが防止される。
【００３２】
カバー４０を透明な樹脂とすることで、非接触ＩＣカード３０が凹部１６に収容されているかをカバー４０の外側から視認することができる。これにより、非接触ＩＣカード３０を装着し忘れたり、ノートＰＣの操作が終了してから非接触ＩＣカード３０の取り外しを忘れたりすることを防止することができる。
【００３３】
また、非接触ＩＣカード３０を凹部１６に収容していない状態では、凹部１６が空間となり、カバー４０と筐体１４の上面との間に薄い空気の層が形成される。したがって、筐体１４の内部での発熱で筐体１４の上面が暖かくなったとしても、その熱が凹部１６の空気層により遮断され、カバー４０に伝わり難くなる。カバー４０は操作者の腕が置かれるパームレストの位置にあるが、カバー４０は筐体１４よりも低い温度に維持されるので、操作者が腕で感じる熱を抑制することができ、操作性を向上することができる。
【００３４】
非接触ＩＣカード３０が凹部１６に収容されているときにも、非接触ＩＣカード３０とカバー４０との間に小さな空隙が形成されるようにしておけば、非接触ＩＣカード３０が凹部１６に収容されていても、カバー４０に伝わる熱を抑制することができる。これにより、カバー４０は筐体１４よりも低い温度に維持されるので、操作者が腕で感じる熱を抑制することができ、操作性を向上することができる。
【００３５】
次に、第３の実施形態について説明する。図６は第３の実施形態によるノートＰＣの本体の斜視図である。図７は第３の実施形態によるノートＰＣの本体の側面図である。
【００３６】
第３の実施形態では、第２の実施形態における凹部１６を覆うカバー４０が横に延長され、操作部１２と本体１０の前縁との間の筐体１４の部分を覆う大きさのカバー４２となっている。操作部１２と本体１０の前縁との間の部分で左右方向の中央部分には、ポインタを移動するためのマウスパッド１３等が設けられているので、カバー４２の中央部分には開口部４２ａが設けられている。これにより、カバー４２を閉じた状態でもマウスパッド１３等を操作することができる。
【００３７】
カバー４２は筐体１４と同様な樹脂で形成することができる。また、カバー４２に模様を付けたり色を付けることで、ノートＰＣのデザインを変えたりすることもできる。カバー４２を異なる色やデザインのものに取り替えることができるようにすれば、ノートＰＣのデザインバリエーションを豊富にすることもできる。なお、第２の実施形態のようにカバー４２を透明にすることとしてもよいし、凹部１６を覆う部分だけを透明にしてもよい。
【００３８】
非接触ＩＣカード３０を凹部１６に収容するときには、カバー４２を引き起こして凹部１６内に非接触ＩＣカード３０を載置する。そして、カバー４２を倒すことで、非接触ＩＣカード３０は凹部１６に収容された状態で上からカバー４２により覆われた状態となる。これにより、操作者の手や腕はカバー４２に触れるだけで、非接触ＩＣカード３０には接触せず、非接触ＩＣカード３０を凹部１６内に確実に保持することができる。また、ノートＰＣを大きく傾けたとしても、非接触ＩＣカード３０が凹部１６から外れることが防止される。
【００３９】
カバー４２を透明な樹脂とすることで、非接触ＩＣカード３０が凹部１６に収容されているかをカバー４２の外側から視認することができる。これにより、非接触ＩＣカード３０を装着し忘れたり、ノートＰＣの操作が終了してから非接触ＩＣカード３０の取り外しを忘れたりすることを防止することができる。
【００４０】
ここで、第２の実施形態におけるカバー４０は、凹部１６を覆う程度の大きさであるが、本実施形態におけるカバー４２は、右側から左側までの全体を覆うような大きさとなっている。すなわち、操作者の右腕も左腕もカバー４２の上に置かれるようになっている。第２の実施形態で説明したように、カバー４２とその下の筐体１４との間に小さな空隙が形成されるようにしておけば、筐体１４の内部での発熱で筐体１４の上面が暖かくなったとしても、その熱が空隙の空気層により遮断される。したがって、筐体１４内で発生した熱がカバー４２に伝わり難くなる。カバー４２は操作者の左右の両方の腕が置かれるパームレストの位置にあり、カバー４２は筐体１４よりも低い温度に維持されるので、操作者が腕で感じる熱を抑制することができ、操作性を向上することができる。
【００４１】
すなわち、第２の実施形態ではカバー４０は凹部１６が位置する右側の部分を覆って右腕のパームレストに相当しているが、本実施形態ではカバー４２は左右両腕のパームレストに相当している。
【００４２】
なお、カバー４２と筐体１４との間に小さな空隙が形成されるようにするには、カバー４２の裏面に複数の小さな突起を形成しておき、カバー４２を閉じたときに突起だけが筐体１４の上面に当たるようにしておけばよい。これにより、カバー４２と筐体１４の上面との間に突起の高さに相当する空隙を形成することができる。
【００４３】
次に、第４の実施形態について説明する。図８は第４の実施形態によるノートＰＣの本体の斜視図である。図９は第４の実施形態によるノートＰＣの本体の平面図である。図１０は図９のＸ−Ｘ線に沿った断面図である。
【００４４】
第４の実施形態では、ＩＣカード収容部の一例として、凹部１６の代りにスリット１７が筐体１４に設けられている。スリット１７は筐体１４の前端面に開口部１７ａを有するカード形状の空間である。スリット１７が形成する空間の外形寸法は、非接触ＩＣカード３０が挿入できるような寸法である。すなわち、非接触ＩＣカード３０を開口部１７ａからスリット１７に差し込んで、非接触ＩＣカード３０をスリット１７内に収容しておくことができる。スリットは筐体１４の上面に対して平行な平たい空間であり、非接触ＩＣカード３０を筐体１４の上面に平行状態で収容することができる。このため、筐体１４の厚みを増大することなく筐体１４中にスリットを形成することができる。
【００４５】
スリット１７の下側の筐体１４の内部には、リーダ／ライタ１８が設けられており、スリット１７に収容された非接触ＩＣカード３０と通信を行なって、非接触ＩＣカード３０からデータを取得することができる。例えば、操作者の認証が必要となった場合に、リーダ／ライタ１８が動作して非接触ＩＣカードから認証情報を取得することができる。したがって、スリットはＩＣカード収容部であり、且つＩＣカード読み取り部に相当する。
【００４６】
ここで、スリット１７に収容されている非接触ＩＣカード３０をスリット１７から取り出す際には、取り出し開口１７ｂに指等を入れて非接触ＩＣカード３０の表面を指を押し当てる。取り出し開口１７ｂは、筐体１４のスリット１７の上部中央付近に形成された細長い開口である。指を非接触ＩＣカードに押し付けながら取り出し開口１７ｂに沿って開口部１７ａの方向に移動させることにより、容易に非接触ＩＣカード３０をスリット１７から取り出すことができる。取り出し開口１７ｂは、開口部１７ａから続く切り欠きのような形状の開口としてもよい。
【００４７】
なお、本実施形態ではスリット１７の開口部１７ａを本体１０の前端面に設けたが、本体１０の側面に設けることとしてもよい。
【００４８】
以上のように、非接触ＩＣカード３０をスリット１７に収容するため、操作部１２を操作する際に操作者の手や腕が非接触ＩＣカード３０に触れることがなく、非接触ＩＣカード３０をＩＣカード読み取り部に正確に位置決めしたまま保持しておくことができる。したがって、操作者は、非接触ＩＣカード３０に接触することを気遣うことなくノートＰＣの操作部１２を操作することができ、操作性が損なわれることはない。
【００４９】
また、非接触ＩＣカード３０はスリット１７に挿入されて収容されているので、ノートＰＣを傾けて使用しても非接触ＩＣカード３０が滑り落ちることはなく、この点においても操作性が損なわれることはない。
【００５０】
スリット１７の幅は非接触ＩＣカード３０の厚みと同程度であり、筐体１４の厚み内で形成可能であるか、スリット１７を設ける部分の筐体１４の厚みを僅かに大きくする程度でスリット１７を形成することができる。したがって、スリット１７を設けることで筐体１４の厚みを大幅に増大することなく、ノートＰＣの薄型化を妨げることがない。
【００５１】
以上の実施携帯では非接触ＩＣカードと通信を行なう電子機器としてノートＰＣを例として説明したが、ノートＰＣに限られず、例えば、小型コンピュータ、携帯データ通信端末等の電子機器に上述の凹部１６やスリット１７を設けてＩＣカード読み取り部としてもよい。
【００５２】
以上のように、本明細書は以下の事項を開示する。
（付記１）
操作者が操作を行なう操作部を備えた本体と、
該本体の筐体に設けられ、非接触ＩＣカードを該筐体の上面に対して平行な状態で収容するＩＣカード収容部と、
前記筐体内で該ＩＣカード収容部に対応した位置に設けられ、前記非接触ＩＣカードとデータ通信を行なうリーダ／ライタと
を有する電子機器。
（付記２）
付記１記載の電子機器であって、
前記ＩＣカード収容部は前記操作部の近傍において前記筐体の上面に形成された凹部であり、該凹部の外形は前記非接触ＩＣカードの外形に等しい電子機器。
（付記３）
付記２記載の電子機器であって、
前記凹部の深さは前記非接触ＩＣカードの厚みに等しい電子機器。
（付記４）
付記２又は３記載の電子機器であって、
前記ＩＣカード収容部は、前記凹部の外周の一部を外側に広げて形成された取り出し部を有する電子機器。
（付記５）
付記２乃至４のうちいずれか一項記載の電子機器であって、
前記凹部を覆うカバーをさらに有する電子機器。
（付記６）
付記５記載の電子機器であって、
前記カバーは透明である電子機器。
（付記７）
付記５記載の電子機器であって、
前記カバーは前記凹部以外の前記筐体の上面も覆う形状であり、前記カバーが前記凹部を覆っている状態で、前記カバーと前記筐体の上面との間に空隙が形成される電子機器。
（付記８）
付記７記載の電子機器であって、
前記カバーの少なくとも前記凹部を覆う部分は透明である電子機器。
（付記９）
付記１記載の電子機器であって、
前記ＩＣカード収容部は前記筐体に形成されたスリットであり、該スリットの外形は前記非接触ＩＣカードの外形に等しい電子機器。
（付記１０）
付記９記載の電子機器であって、
前記筐体の上面に形成され、前記スリットに繋がる取り出し開口を有する電子機器。
（付記１１）
付記１乃至１０のうちいずれか一項記載の電子機器であって、
前記電子機器はノートブック型パーソナルコンピュータであり、前記ＩＣカード収容部は前記筐体のパームレストに相当する部分に設けられる電子機器。
【符号の説明】
【００５３】
１０  本体
１２  操作部
１４  筐体
１６  凹部
１６ａ  取り出し部
１７  スリット
１７ａ  開口部
１７ｂ  取り出し開口
１８  リーダ／ライタ
２０  表示部
３０  非接触ＩＣカード
４０，４２  カバー
４２ａ  開口部
【図１】
2011022664.tif 000003
【図２】
2011022664.tif 000004
【図３】
2011022664.tif 000005
【図４】
2011022664.tif 000006
【図５】
2011022664.tif 000007
【図６】
2011022664.tif 000008
【図７】
2011022664.tif 000009
【図８】
2011022664.tif 000010
【図９】
2011022664.tif 000011
【図１０】
2011022664.tif 000012